(57)【要約】【課題】個人差や髪形等にかかわらず、適切なカール付けを行うことができるものとする。【解決手段】多数本のブリスル２０がブリスル台２の表面から突出しているヘアーブラシ１である。ブリスル台２はその長手方向断面の外形線がなす曲線の曲率が可変であるとともに短手方向において複数片に分割されており、更にブリスル台はその内面にばね弾性を有する補強材が設けられたものである。個人差や髪形等に合わせた曲率の曲線をなすものとすることができるものであり、しかもブリスル台の内面にばね弾性を有する補強材を設けているために、ブリスル台に適切な弾力を付与することを簡便に且つ確実に行うことができる。【選択図】図１
2006130333.tif 000002
【特許請求の範囲】
【請求項１】
多数本のブリスルがブリスル台の表面から突出しているヘアーブラシにおいて、ブリスル台はその長手方向断面の外形線がなす曲線の曲率が可変であるとともに短手方向において複数片に分割されたものであり、且つ上記ブリスル台はその内面にばね弾性を有する補強材が設けられたものであることを特徴とするヘアーブラシ。
【請求項２】
ブリスル台はその長手方向両端に至らない切り溝によって短手方向において複数片に分割されているとともに、切り溝の両端は円形状の孔とされていることを特徴とする請求項１記載のヘアーブラシ。
【発明の詳細な説明】
【技術分野】
【０００１】
本発明はヘアーブラシ、殊に毛髪にカール付けを行う際に使用するヘアーブラシに関するものである。
【背景技術】
【０００２】
毛髪にカール付けを行う際に使用するヘアーブラシは、基端から先端まで同径の円筒状で外周面から多数本のブリスルを突出させた形状となっており、その外周面に巻き付けた毛髪にヘアードライヤーの温風を吹き付けたりスチームによる加湿とその後の乾燥などを行うことによって、毛髪にカール付けを行う。
【０００３】
ところで、毛髪にカール付けを行うにあたり、頭の周方向に連続してカール付けを行う場合、円筒状であるがために、カールさせたところと、頭の周方向において隣りのカールさせたところとの間に角ができてしまう。これはヘアーブラシを単なる円筒状ではなく、軸方向の断面を頭の周方向の断面形状に合わせた円弧状となっている筒状とすることで解消することができるが、頭部の周方向の断面形状における各部の曲率は一定ではない上に個人差も大きく、髪形のこともあって、特定の曲率のものとしたのでは問題が残る。
【発明の開示】
【発明が解決しようとする課題】
【０００４】
本発明は上記の従来の問題点に鑑みて発明したものであって、個人差や髪形等にかかわらず、適切なカール付けを行うことができるヘアーブラシを提供することを課題とするものである。
【課題を解決するための手段】
【０００５】
上記課題を解決するために本発明に係るヘアーブラシは、多数本のブリスルがブリスル台の表面から突出しているヘアーブラシであり、上記ブリスル台はその長手方向断面の外形線がなす曲線の曲率が可変であるとともに短手方向において複数片に分割されたものであり、且つ上記ブリスル台はその内面にばね弾性を有する補強材が設けられたものであることに特徴を有している。個人差や髪形等に合わせた曲率の曲線をなすものとすることができるものであり、しかもブリスル台の内面にばね弾性を有する補強材を設けているために、ブリスル台に適切な弾力を付与することを簡便に且つ確実に行うことができる。
【０００６】
ブリスル台の短手方向における分割は、その長手方向両端に至らない切り溝によって行うとともに切り溝の両端は円形状の孔としておくのが好ましい。この場合、ブリスル台の両端は分割されていないために支持が容易であり、しかも切り溝の両端は孔によって応力が集中せず、繰り返し応力にも該両端部が破断してしまうおそれを小さくすることができる。
【発明の効果】
【０００７】
本発明は、ブリスル台の長手方向断面の外形線がなす曲線の曲率を可変としているために、ブリスル台の外形線を個人差や髪形等に合わせた曲率の曲線とすることで、個人差や髪形等にかかわらず、適切なカール付けを行うことができて、毛髪に角を生じさせてしまうことがないカール付けを行うことができるものであり、またブリスル台は短手方向において複数片に分割しているために、長手方向断面の外形線がなす曲線の曲率を変化させることを的確に行えるものであり、しかもブリスル台の内面にばね弾性を有する補強材を設けていることから、ブリスル台に適切な弾力を付与することを簡便に且つ確実に行うことができる。
【発明を実施するための最良の形態】
【０００８】
以下、本発明の実施の形態の一例について説明すると、図１及び図２に示すヘアーブラシ１は、温風送風装置を内蔵するヘアードライヤー９の送風口の部分に着脱自在に装着されるもので、外面から多数本のブリスル２０を突出させている円筒状のブリスル台２と、このブリスル台２の軸方向両端に位置する一対のブラシ台３，４とから形成されている。
【０００９】
ヘアードライヤー９の送風口の部分に被せられるブラシ台３は、図２に示すように先端から外筒３０と内筒３２とを突出させたもので、両筒３０，３２の間の空間は通風路３９となっており、また外筒３０には通風口３１が開口している。また、該ブラシ台３は、フック３６が一体に形成された押釦３５を備えており、ばね３７に抗して押釦３５を押し込むことでフック３６を移動させることができるようになっている。
【００１０】
他方のブラシ台４は、ブラシ台３側に向けて突出する筒部４０と該筒部４０の中心に位置するガイド軸４２とを備えたもので、筒部４０には通風口４１と複数個の係合孔４６とを備えている。そしてブラシ台４はその筒部４０がブラシ台３の外筒３０内にスライド自在にはめ込まれるとともに、ガイド軸４２が内筒３２内にスライド自在にはめ込まれることで、ブラシ台３との間隔が可変とされるものであり、また、ブラシ台３のフック３６がいずれかの係合孔４６に係合することによって、上記間隔が固定される。押釦４５を押せば係合孔４６からフック３６が外れて、ブラシ台３に対してブラシ台４が再度スライド自在となる。図中４３はブラシ台３からブラシ台４を離す方向に付勢するばねである。
【００１１】
外面からブリスル２０を突出させているブリスル台２はポリエステルエラストマーあるいはポリプロピレン等の可撓性を有するとともに伸縮性をもたない（もしくは伸縮性が乏しい）材質からなるもので、円筒状となっている該ブリスル台２はその軸方向両端に上記ブラシ台３，４に引掛係止される係止部２１を備えている。
【００１２】
そして該ブリスル台２は、図１(b)から明らかなように、その軸方向に走る複数本の切り溝２２が周方向において等間隔に設けられており、ブリスル台２を上記ブラシ台３，４の間隔変更によって軸方向に圧縮した時、ブリスル台２は図１(a)に示すように、軸方向中程が外側へと膨むように撓むものであり、この時、上記切り溝２２の部分の間隔が広がる。なお、各切り溝２２はブリスル台２の軸方向両端縁には至っていない。また、切り溝２２の各端部はほぼ円形の孔２３として、ブリスル台２を撓ませた時に切り溝２２の端部に応力が集中しないようにしてある。
【００１３】
このヘアーブラシ１においては、上述のようにブラシ台３，４の間隔を変更することによって、ブリスル台２の中程を外側に膨らませることで、単なる円筒状ではなく、軸方向の断面が円弧状をなすものとすることができるとともに、上記間隔を小さくするほど上記円弧の曲率半径が小さくなるものであり、このために毛髪に内巻きカールを付与するに当たり、頭の周方向の断面形状に合わせた曲率の円弧をなすものとした状態で毛髪を巻き付けることで、毛髪に前述の角ができてしまうという問題を個人差や髪形に関係なく解消することができる。
【００１４】
なお、図示例ではブラシ台３，４間の間隔を小さくした時、ブリスル台２が撓んで外側に確実に膨らむように、円筒状の状態では切り溝２２の両縁が相互に接触しているものを示したが、円筒状の状態においても切り溝２２の両縁を離しておき、ブリスル台２の中央部を手で絞った状態でブラシ台３，４間の間隔を小さくすれば、ブリスル台２の内側への撓みでブリスル台２の中程が凹むようにすることができ、この時には、外巻きカールを付与する場合に好適なものとなる。もちろん、外側へ膨らませるか内側へ凹ませるかを選択できるようにしておいてもよい。これはブリスル台２の撓み方向を規制する規制部材を設けるとともに、該規制部材を動かせば、規制方向が切り替わるようにすることで応ずることができる。また、図示例ではブリスル台２における切り溝２２で分割した各帯状部にブリスル２０を夫々１列だけ設けているが、列数は図示例に限るものではない。また、ブリスル台２を膨らませた状態では、軸と直交する断面がほぼ多角形となる関係で、切り溝２２の本数（帯状部の数）はあまり少ないと、カールさせた髪に段がつくことになるために、上記本数は多くしておくことが望ましい。
【００１５】
もっとも、ブリスル台２の材料特性による制約から、上記本数をあまり多くすると、各帯状部のばね弾性の不足により、毛髪を巻き付けた時に内側へと凹んでしまうおそれが生じる。また、ねじれに対してどうしても弱くなる。このために、図３に示すように、ブリスル台２の内面側にばね弾性を補強する補強板２５を設けている。図示例の補強板２５はブリスル台２に一体成形で取り付けている。なお、補強板２５としては合成樹脂製のものや金属製のものを用いることができる。
【００１６】
補強板２５としては上記のようなブリスル台２の内面に裏打ちするものではなく、図４に示すように、ブラシ台３，４に両端を軸着したものとし、該補強板２５の外面にブリスル台２を取り付けたものでもよい。なお、ブラシ台３，４への取付部分を軸２６による軸着として軸回りに回動自在とする構成は、図１〜図３に示す構成においても採用することができ、回動自在とすることにより、ブリスル台２や補強板２５のブラシ台３，４への取付部分に応力が集中することを避けることができる上に、ブラシ台３，４の間隔を変更してブリスル台２を膨らませることをよりスムーズに行うことができるものとなる。ブラシ台３，４への取付部分のうちのいずれか一方だけを回動自在としたものでもよい。
【００１７】
ところで、該ヘアーブラシ１は前述のようにヘアードライヤー９の送風口の部分に装着されるものであり、上記送風口から吐出される温風は、通風路３９と通風口４１，３１を通り、ブリスル台２の切り溝２２のところに設けた吐風口２４から吐出されるのであるが、ブリスル台２を膨らませた時には通風口３１，４１の重なりが大きくなって送風抵抗が低下する上に、切り溝２２の間隔が広がって、吐風口２４からだけではなく、切り溝２２の部分からも温風が吐出されることになり、毛髪に温風が当たる面積が大きくなってセット性が向上するものとなっている。
【００１８】
対のブラシ台３，４間の間隔を変更するための構成としては、図５に示すように、ブラシ台３に設けたナット部３８にブラシ台４を貫通しているねじ軸４８を螺合させたものとしてもよい。ねじ軸４８を回転させてねじ軸４８とナット部３８との螺合を深くすることで、ブラシ台３，４の間隔を短くすることができ、上記螺合を浅くすることで、ブラシ台３，４の間隔を長くすることができる。ブリスル台２のブラシ台４側の端部の係合部２１とブラシ台４との間に配した圧縮コイルばね４９は、ブリスル台２を伸ばす方向の力を加えることで、ブリスル台２が塑性変形して軸方向断面が円弧をなすようになってしまった時にも、ブラシ台３，４の間隔を長くしてブリスル台２を円筒状に戻せば確実に円筒状に戻るようにするために設けたものである。
【００１９】
以上の各例では、ブリスル台２が筒状で該ブリスル台２の全周にブリスル２０を突出させているものを示したが、この形状に限定するものではない。たとえば図６に示すように、ブリスル台２の長手方向と直交する断面形状がほぼ半円をなすものであってもよい。図７はブリスル台２の長手方向両端に至らない切り溝２２によってブリスル台２をその短手方向において複数片に分割しているものの他例を示している。
【図面の簡単な説明】
【００２０】
【図１】本発明の実施の形態の一例を示すもので、(a)(b)は共に正面図である。
【図２】(a)(b)は共に同上の断面図である。
【図３】同上の補強材を示す断面図である。
【図４】他例の断面図である。
【図５】更に他例の断面図である。
【図６】別の例の側面図である。
【図７】更に別の例の正面図である。
【符号の説明】
【００２１】
１  ヘアーブラシ
２  ブリスル台
２０  ブリスル
２５  補強材
【図１】
2006130333.tif 000003
【図２】
2006130333.tif 000004
【図３】
2006130333.tif 000005
【図４】
2006130333.tif 000006
【図５】
2006130333.tif 000007
【図６】
2006130333.tif 000008
【図７】
2006130333.tif 000009